(57)【特許請求の範囲】
【請求項１】
ディスプレイスクリーンを有するディスプレイデバイスにピクチャ・イン・ピクチャイメージを生成する集中ＰＩＰ処理デバイスにおいて、
（Ａ）  第１と第２のビデオデータソースからのディジタルデータを該ディスプレイデバイスに与えるために受信する手段と、
前記第１のビデオデータソースは、フルスクリーンイメージのピクセルを表すディジタルデータの第１ストリームを該ディスプレイデバイスに出力し、
前記第２のビデオデータソースは、フルスクリーンイメージのピクセルを表すディジタルデータの第２ストリームを該ディスプレイデバイスに出力し、
前記第１と第２のビデオデータソースはそれぞれ第１と第２のサービス番号が割り当てられ、
（Ｂ）  前記第１と第２のビデオデータソースのデータストリームの出力を同期化し、前記ディスプレイスクリーン上にピクセルを配置するためのクロックパルスのストリームを生成するクロック装置と、
前記クロックパルスは、複数のクロック状態からなる群の繰り返しを規定し、
前記割り当てられたサービス番号は、前記クロック状態の繰り返し群の各々における１つのクロック状態に対応し、
（Ｃ）  前記クロック装置に同期化され、前記第１割り当てサービス番号がクロック状態に適合したときに、第１ディジタルデータストリームをサンプリングし、前記第２割り当てサービス番号がクロック状態に適合したときに、第２ディジタルデータストリームをサンプリングするサンプラと、
前記第１と第２のデータストリームのサンプル化データが、前記第１と第２のビデオデータソースの縮小スクリーンイメージのピクセルの組み合わせを表す第３データストリームを形成し、
（Ｄ）  前記サンプラに接続され、前記第１と第２のビデオデータソースの一つの縮小スクリーンイメージの少なくとも一部を表す第３データストリームの一部を記憶するバッファと、
（Ｅ）  前記バッファと前記クロック装置に接続され、
クロック状態が前記割り当てられたサービス番号の１つに対応したときに、前記第１と第２のビデオデータソースの一つの縮小スクリーンイメージのピクセルを表す第３データストリームの一部の前記バッファの入力をトリガし、ディスプレイデバイスに前記第１と第２のビデオデータソースの１つのソースの縮小スクリーンイメージを表示するために、前記バッファから記憶されたデータを前記ディスプレイデバイスに出力するのをトリガするトリガとからなることを特徴とする中央ＰＩＰ処理デバイス。
【請求項２】
（Ｆ）前記第１と第２のデータストリームの一方と、前記バッファからの記録データのトリガされた出力との間でデータを選択的に切り換えるスイッチ（３８，３８’）をさらに有し、
ピクチャ・イン・ピクチャのイメージを生成する
ことを特徴とする請求項１のデバイス。
【請求項３】
前記のトリガ（４０）は、ディスプレイデバイス（２８，２８’）に表示されたフルスクリーンイメージ内に縮小スクリーンイメージを選択的に配置するポジショニングデバイスを有する
ことを特徴とする請求項１のデバイス。
【請求項４】
前記スイッチは、ビデオスイッチ（３８，３８’）を含む
ことを特徴とする請求項２のデバイス。
【請求項５】
前記トリガ（３６，３６’）は、ユーザに応答して割り当てられたサービス番号の選択された１つを入力する選択手段を含む
ことを特徴とする請求項１のデバイス。
【請求項６】
前記選択手段は、選択レジスタ（５４）を含む
ことを特徴とする請求項１のデバイス。
【請求項７】
前記各第１と第２のビデオデータソースは、サービスドライバ（２４，２４’）を含む
ことを特徴とする請求項１のデバイス。
【請求項８】
（Ｇ）前記第３データストリームをチャネリングするバス（３０）をさらに有する
ことを特徴とする請求項１のデバイス。
【請求項９】
前記割り当てられたサービス番号とクロック状態とは数字により表示される
ことを特徴とする請求項１のデバイス。
【請求項１０】
前記割り当てられたサービス番号の数字とクロック状態の数字が同一の時に、前記割り当てられたサービス番号はクロック状態に一致したとする
ことを特徴とする請求項８のデバイス。
【請求項１１】
ディスプレイスクリーンを有するディスプレイデバイスに、ＰＩＰイメージを中央で処理する方法において、
（Ａ）  第１ビデオデータソースからフルスクリーンイメージのピクセルを表すディジタルデータの第１ストリームを受信するステップと、
（Ｂ）  第２ビデオデータソースからフルスクリーンイメージのピクセルを表すディジタルデータの第２ストリームを受信するステップと、
（Ｃ）  第１と第２のサービス番号を、前記第１と第２のビデオデータソースにそれぞれ割り当てるステップと、
（Ｄ）  ディスプレイスクリーン上にピクセルを配置するためのクロックパルスのストリームを生成し、前記第１と第２のビデオデータソースの第１と第２のデータストリームを同期化するステップと、
（Ｅ）  前記生成されたクロックパルスのストリームを複数のクロック状態からなる群の繰り返しとして規定して、前記割り当てられたサービス番号が前記クロック状態の繰り返し群の各々における１つのクロック状態に対応させているステップと、
（Ｆ）  前記第１割り当てサービス番号がクロック状態にマッチしたときに、前記第１ディジタルデータストリームをサンプリングし、前記第２割り当てサービス番号がクロック状態にマッチしたときに、前記第２ディジタルデータストリームをサンプリングするステップと、
前記第１と第２のデータストリームのサンプル化データが、前記第１と第２のビデオデータストリームの縮小スクリーンイメージのピクセルの組み合わせを表す第３データストリームを形成し、
（Ｇ）  クロック状態が前記第１と第２のビデオデータソースの１つのソースの割り当てサービス番号に適合したときに、前記第１と第２のビデオデータソースの１つのソースの縮小スクリーンイメージのピクセルを表す第３データストリームの一部を記憶するステップと、
（Ｈ）  縮小スクリーンイメージを生成するために、前記記憶されたデータの一部をディスプレイデバイスに出力するようトリガするステップと、
からなることを特徴とするＰＩＰイメージの中央での処理方法。
【請求項１２】
（Ｉ）ピクチャ・イン・ピクチャイメージを生成するために、前記記憶されたデータのトリガされた出力を前記第１と第２のデータストリームのうちの１つのストリームと組み合わせるステップ
をさらに有することを特徴とする請求項１１の方法。
【請求項１３】
複数のディジタルビデオソースからピクチャ・イン・ピクチャのイメージをディスプレイデバイスに生成する方法において、
（Ａ）  第１ディジタルサービスドライバを介して、第１ビデオソースからのフルスクリーンイメージのピクセルを表すディジタルデータの第１ストリームを所定のタイムシーケンスで出力するステップと、
（Ｂ）  第２ディジタルサービスドライバを介して、第２ビデオソースからのフルスクリーンイメージのピクセルを表すディジタルデータの第２ストリームを所定のタイムシーケンスで出力するステップと、
（Ｃ）  前記第１と第２のビデオソースからのピクセルの組み合わせを表す第３データストリームを生成するために、前記第１と第２のディジタルサービスドライバから所定のタイムシーケンスで第１と第２のデータストリームを連続的にサンプリングするステップと、
前記ピクセルの組み合わせは、前記第１と第２のディジタルサービスドライバからの縮小した数のピクセルを含み、
（Ｄ）  前記第３データストリームから第１と第２のビデオデータソースの一つのソースのサンプル化されたサンプル化データを選択するステップと、
（Ｅ）  前記第３のデータストリームから、前記選択されたサンプル化データの一部を記憶するステップと、
（Ｆ）  前記第１と第２のビデオソースのうちの選択したソースの縮小スクリーンイメージを生成するために、前記記憶されたデータの出力をトリガするステップと、
（Ｇ）  ディスプレイデバイス上にピクチャ・イン・ピクチャイメージを生成するために、前記記憶されたデータのトリガされた出力と、第１と第２のデータストリームのうちの１つのストリームとを組み合わせるステップと
からなることを特徴とするピクチャ・イン・ピクチャイメージの生成方法。
【発明の詳細な説明】
【０００１】
【発明の属する技術分野】
本発明は、ディスプレイスクリーン上にピクチャ・イン・ピクチャ（ＰＩＰ）のイメージを生成するデバイスと方法に関し、特に複数のビデオソースからの縮小したスクリーンイメージの集中化処理デバイスと方法に関する。
【０００２】
【従来の技術】
ますますたくさんの家庭や仕事場が、加入者に戸惑うほどの数のビューチャネル（テレビのチャネル）を提供するケーブルテレビシステム、あるいは衛星放送テレビシステムに接続されている。加入者は、同時に複数のチャネルをみたいと思うことがある。１個のディスプレイスクリーン上に同時に複数のチャネルを表示するために加入者は、従来のピクチャ・イン・ピクチャ（ＰＩＰ）の特徴を具備するテレビを購入するか、それにアクセスしなければならなかったが、この種のテレビは通常のＰＩＰを具備しないテレビよりもかなり高額である。
【０００３】
このＰＩＰイメージは、全（フル）スクリーンイメージ内に組み込まれた小さなスクリーン表示イメージを特徴としている。通常このフルスクリーンイメージは第１のチューナーからの信号により形成され、縮小スクリーンイメージは第２のチューナーからの信号により形成される。
【０００４】
米国特許第５０３１０４４号に開示された従来のシステムにおいては、このＰＩＰ特徴は、フルスクリーンイメージデータ（例、５１２ピクセル×２５６ライン）と縮小スクリーンイメージデータとを蓄積できる大きなディジタルメモリを利用していた。挿入された縮小スクリーンイメージのサイズは、小さなピクチャフィールド又は大きなピクチャフィールドをメモリ内に書き込むために、ＰＩＰ回路をプログラムすることによりそのサイズを変化させることができる。このようなシステムではユーザは、第１のチューナーと第２のチューナーとの間でイメージを交換することができる。
【０００５】
このような従来のシステムの欠点は、個々の家庭で別個のＰＩＰケーブルテレビを具備するには高額すぎる点である。別の欠点は、入力ビデオ信号を２個の別個のソースから受信するときにはタイミングエラー、すなわちスキューエラーが発生しやすいことである。これらのタイミングエラーは、垂直方向のエッジがギザギザなって現れるが、２つの同期化信号が位相が進み異なる周波数を有する場合には、それが特定の信号標準（例、ＮＴＳＣ）の許容範囲内にあった場合でも発生する。
【０００６】
さらに現在のＰＩＰケーブルテレビの別の欠点は、このようなＰＩＰ特徴は、ケーブルテレビの会社が加入者にケーブルチャネルを受信できるようにするために配布するセットトップボックス（ＳＴＢ）を用いるか、あるいはチャネル３又は４のような１つのチャネルを介してビデオ信号を出力できるようなケーブルコンバータとは一緒に使用することができない点である。
【０００７】
【発明が解決しようとする課題】
従って本発明の目的は、従来必要とされていた余分な装置を必要とすることなくＰＩＰ特徴を有するＰＩＰ処理装置を提供することである。
【０００８】
【課題を解決するための手段】
本発明は請求項１に記載した特徴を有する。
【０００９】
【発明の実施の形態】
図１に住宅用分配システム１２を具備した住宅１０が示されており、この住宅用分配システム１２は本発明の集中ＰＩＰ処理デバイス１４を具備している。住宅用分配システム１２は、ローカルケーブルオペレータ１６又はローカル通信交換会社１８のような様々なデータソース、あるいはサービスプロバイダから情報を取り出し、複数のユーザにＲ．Ｇ．バス２０を介して分配する。住宅用分配システム１２の上流側に配置されるＲ．Ｇ．バス２０には、サービスプロバイダ（ローカルケーブルオペレータ１６、ローカル通信交換会社１８）と住宅１０内のユーザとの間でデータを送受信する。
【００１０】
このサービスプロバイダから送信されたデータは、アナログデータ、ディジタルデータ（通常圧縮されたデータ）、あるいは合成データ（すなわちディジタルデータとアナログデータの組み合わせ）のいずれかの形態である。サービスプロバイダがアナログデータ、あるいは合成データを送信する場合には、ローカル通信交換会社１８はこのアナログ信号を例えば６Ｍｂｐｓのようなレートでもって圧縮ディジタルデータに復調して、この圧縮データをＲ．Ｇ．バス２０上に出力して住宅１０内のユーザに分配する。本発明によれば集中ＰＩＰ処理デバイス１４は、最大２００ＭｂｐｓのレートでＲ．Ｇ．バス２０からのディジタル信号を受信し、脱圧縮するビデオ及びオーディオ復号器（例、ＭＰＥＧ）のようなサービスドライバ２４を有する。
【００１１】
サービスドライバ２４からのこの脱圧縮されたデータはサンプリングされ、ＰＩＰバス３０に伝送され、さらにユーザにより処理される。Ｄ／Ａコンバータ２６は、ディジタルビデオデータをアナログ信号に、例えばＮＴＳＣのような標準に従って変換する。その後変調器（図示せず）がこのアナログ信号を従来のテレビが受信できるような適当な周波数に変調する。
【００１２】
図２には、本発明の集中ＰＩＰ処理デバイス１４の実施例を示す。この集中ＰＩＰ処理デバイス１４は、Ｒ．Ｇ．バス２０、サービスドライバ２４’を有し、各サービスプロバイダ、あるいは他のビデオソースからのオーディオ／ビデオデータを脱圧縮し、及び／又は復号化する。好ましくは各サービスドライバ２４、２４’は、設置時にＤＩＰスイッチにより、あるいはソフトウェアにより、あるいはソフトウェアを介してあらかじめ設定され、割り当てられた、唯一のサービス番号を有する。同時に集中ＰＩＰ処理デバイス１４は、サンプラ３２、３２’を有し、所定の時間間隔シーケンスで脱圧縮された、あるいは復号化されたデータをサンプリングし、縮小したスクリーンイメージのピクセルを表すデータストリームを出力する。さらに集中ＰＩＰ処理デバイス１４はＰＩＰバス３０を有し、サンプラ３２、３２’からのこのサンプルされたデータストリームをチャネリング（チャネルに割り当てる）する。
【００１３】
本発明の集中ＰＩＰ処理デバイス１４はさらに、ＰＩＰディスプレイバッファ３４、ＰＩＰディスプレイバッファ３４’を有し、ビデオソースの縮小スクリーンイメージを表すサンプルデータの一部を記憶する。入力／出力トリガ３６、３６’は、ＰＩＰバス３０を介していずれか一方のビデオソースから縮小スクリーンイメージを表すデータを選択的に取りだし、対応するＰＩＰディスプレイバッファ３４、３４’に入力する。入力／出力トリガ３６、３６’は、縮小スクリーンイメージを形成するために、この記憶されたＰＩＰデータの出力を選択的にトリガする。ビデオスイッチ３８、３８’あるいは高速ディジタルスイッチは、サービスドライバ２４、２４’の下流側に配置され、データライン３９、３９’のサンプルされない、すなわちメインデータストリームをそれぞれＰＩＰディスプレイバッファ３４、３４’からのデータストリームと組み合わせてＰＩＰイメージを形成する。
【００１４】
このビデオスイッチ３８、３８’は、入力／出力トリガ３６、３６’により駆動される２０局のダブルスローのディジタルスイッチでもよい。ディスプレイデバイス２８がアナログ信号出力を必要とするような状況に適合するため、Ｄ／Ａコンバータ２６、２６’がこのディスプレイデバイス２８の上流側で、かつビデオスイッチ３８、３８’の下流側に配置され、ディジタルＰＩＰデータをアナログＰＩＰ信号に変換する。
【００１５】
図２の実施例によれば、ディスプレイデバイス２８のユーザは、サービスドライバ２４、２４’からのイメージを同時に見ることができる。同様にディスプレイデバイス２８’のユーザもサービスドライバ２４、２４’からのイメージを同時に見ることができる。本発明の集中ＰＩＰ処理デバイス１４の利点は、さらに別のサービスドライバ及びサービスソースがＰＩＰバス３０に接続され、ユーザが様々なビデオソースからのイメージを同時に楽しむことができる場合にさらに明らかとなる。
【００１６】
図２において集中ＰＩＰ処理デバイス１４はクロック装置４０を有し、ディスプレイスクリーン上にピクセルを転置するためのクロックパルスのストリームを生成し、集中ＰＩＰ処理デバイス１４内のデータフロー（例、サービスドライバ２４、２４’からのデータ）とデータ制御を同期化する。このクロック装置４０は、タイミングエラー、あるいはスキューエラーを最小にしたりあるいは除去して、各サービスドライバからのピクセルデータを適切にサンプリングができるようになり、これにより前述のデバイス（例えば入力／出力トリガ）が必要な時間に必要な機能を実行できるようにする。
【００１７】
好ましくは本発明の一実施例によれば、クロック装置４０のクロックパルスは、クロック状態の繰り返し群を規定し、サービスドライバ２４、サービスドライバ２４’の割り当てられたサービス番号のおのおのがこのクロック状態の繰り返し群のおのおの内の唯一のクロック状態に対応するようにしている。このサービス番号は、サービスドライバ２４、２４’に例えば、それに関連したレジスタの値を設定することにより割り当てられる。クロック状態の番号は、集中ＰＩＰ処理デバイス１４のサービスドライバ２４の数と等しい。例えば１６台のサービスドライバを有する実施例のクロックは、１６個のクロック状態、すなわちタイムスロットを有する。
【００１８】
クロック装置４０は、４本のクロックライン、すなわちピクセルクロックＰ（例、ＮＴＳＣでは約１２．２７２７ＭＨｚ、あるいは先端エッジによりトリガされるシステムでは約２５．５４５４ＭＨｚ）、水平クロックＨ（例、ＮＴＳＣでは約１５．７５０ＫＨｚ）、垂直クロックＶ（例、ＮＴＳＣでは約５９．９８Ｈｚ）及びフレームクロックＦ（例、ＮＴＳＣでは約２９．９９Ｈｚ、これは奇数フィールドと偶数フィールドをカウントする）がある。
【００１９】
本発明に関し、他の周波数量は、例えばＰＡＬ、ＳＥＣＡＭのような他の信号基準、及びＨＤＴＶ、ＶＧＡ、ＳＶＧＡ等のような他のスキャンパターン用いて計算することができる。
【００２０】
図３は、図２のサンプラ３２の詳細図である。サンプラ３２’はサンプラ３２と類似構造のため、ここでは説明は省略する。同図に示すようにサンプラ３２は、レジスタ４２とトリガ４４とサンプリングスイッチ４６とを有する。レジスタ４２は、プリセット可能なものでレジスタ４２に関連するサービスドライバ２４のサービス番号を有している。トリガ４４は、クロック状態すなわちタイムスロットがサービスドライバ２４のサービス番号に一致したときにサンプリングスイッチ４６を駆動する。サンプリングスイッチ４６の駆動状態でサンプラ３２は、ピクセルデータをＰＩＰバス３０上に入力する。クロック状態は例えば、クロック状態の値が割り当てられたサービス番号の値と同一なときのサービス番号に対応する。例えば、１２の値のサービス番号を有するサービスドライバ２４は、各クロック状態が１２の時にサンプルされたピクセルデータを有する。
【００２１】
図４は、図２の入力／出力トリガ３６の詳細である。同図に示すように入力／出力トリガ３６は、入力トリガ部分４８と出力トリガ部分５０とを有する。この入力トリガ部分４８は、ＰＩＰディスプレイバッファ３４とクロック装置４０に接続され、入力トリガ５２と選択レジスタ５４とを有する。この選択レジスタ５４はユーザによりプログラム可能（例えば、遠隔地から、あるいはその他の方法で）で、ＰＩＰを見るためにユーザにより選択されたサービスドライバ２４のサービス番号を含む。クロック状態が選択レジスタ５４内に含まれるサービス番号と一致すると、選択されたサービスドライバのピクセルデータがＰＩＰバス３０から取り出されてＰＩＰディスプレイバッファ３４に与えられる。出力トリガ部分５０は、クロック装置４０とＰＩＰディスプレイバッファ３４とビデオスイッチ３８に接続され、そして出力トリガ５６とＰＩＰイネーブル６０とＰＩＰ配置デバイス５８とを有する。
【００２２】
このＰＩＰ配置デバイス５８は、スクリーン上にディスプレイするためのピクセル位置をカウントするカウンタ（図示せず）と、縮小スクリーンイメージの水平ラインの最も左側のピクセルが表示される所望のスクリーン位置を含むポジションレジスタ（図示せず）を有する。このポジションレジスタは、ユーザによってプログラム可能な形式か、あるいは設置時にＤＩＰスイッチ、あるいはソフトウェアによりあらかじめ設定可能である。本発明によれば、クロック装置４０がイネーブルされ、ピクセルポジションカウントが設定されたスクリーンポジションに到達すると、出力トリガ５６によりＰＩＰ配置デバイス５８はサンプルしない、すなわちメインビデオデータストリームから表示バッファ出力に切り換え、縮小スクリーンイメージの１本の水平ラインをディスプレイデバイスのスクリーンにダンプする（打ち出す）。
【００２３】
その後出力トリガ５６はリセットして、次のライン用の対応するピクセルポジションカウントを待つ。このピクセルポジションカウントが、選択されたスクリーンポジションにマッチすると、出力トリガ５６はビデオスイッチ３８を駆動してピクセルの別のラインをスクリーンにダンプする。好ましくは、出力トリガ５６がピクセルのラインをダンプする毎に、これをＮ回行ったか否かを決定するためにチェックするのが好ましい。ここでＮは、縮小スクリーンイメージの水平ラインの全数である。最後のラインに到達しないと、ラインカウンタ（図示せず）のラインカウントを増分して次のラインを待つ。出力トリガーがＮ本のラインを受信していると、１個のＰＩＰフィールドを完結したことによりその処理を終了する。そして次のフレームリストを待つ。
【００２４】
この実施例において集中ＰＩＰ処理デバイス１４は、１６個のサービスドライバを有し、各サービスドライバ２４には１番から１６番までのサービス番号が割り当てられている。クロック装置４０は、Ｐ、Ｈ、Ｖ、Ｆのクロックラインにより形成され、１６個すなわち４×２×２のクロック状態（タイムスロット、１から１６の値を有する）に、４個の状態をクロックラインＰ（これがピクセル１、２、３、４上でイネーブルされる）に、２個の状態をクロックラインＨ（これが奇数、又は偶数ライン上にイネーブルされる）に、２個の状態をクロックラインＶ（第１又は第２のフィールドにイネーブルされる）に割り当てることにより分割される。
【００２５】
図５は、１６個のサービスドライバを有する前記の実施例により、ＰＩＰバス３０上のサンプル化ピクセルのタイミングを表す。図中の番号のついたピクセルが、番号のついたサービスドライバから取り出されたピクセルを表す。図中の番号のついたピクセルの位置は、対応して番号のついたサービスドライバの全スクリーンイメージ内に配置されたピクセルと同一のものである。例えば、図５の第１水平ラインの左側から１番目のピクセル番号１は、番号１のサービスドライバの全スクリーンイメージの場所に配置されたものと同一のものである。別の例では、番号１６のサービスドライバの全スクリーンイメージの４番目の水平ライン上の左から４番目に配置された番号１６のピクセルは、番号１６番のサービスドライバの全スクリーンイメージの場所（類似場所：ｌｉｋｅ  ｌｏｃａｔｉｏｎ）に配置されたものと同一ピクセルである。この実施例によれば、各サービスドライバの縮小スクリーンイメージは、全スクリーンイメージサイズの１／１６、すなわち１６：１のスクリーンイメージの現象が達成できる。
【００２６】
次に本発明の動作について述べる。１６個のサービスドライバのユーザは、１６個のサービスドライバによって生成される縮小スクリーンイメージのいずれか一つに、所望のサービスドライバを選択し、ＰＩＰイネーブルスイッチ（ＰＩＰ  ＥＮＡＢＬＥ  ｓｗｉｔｃｈ）を入れることによりアクセスできる。例えば、ディスプレイデバイス２８を見ているユーザは、このような特徴が具備されていればＰＩＰが表示されるべきスクリーンの位置を適宜選択することができる。この選択がなされると、次のような事象が発生する。（１）ＰＩＰイネーブルトリガ（ＰＩＰ  ＥＮＡＢＬＥ  ｔｒｉｇｇｅｒ）が駆動され、（２）所望のサービスドライバのサービス番号が入力トリガ部分４８の選択レジスタ５４に入力され、（３）スクリーンポジション番号がＰＩＰ配置デバイス５８に入力され、（４）入力トリガ５２が５３からデータを取りだしてそれをＰＩＰディスプレイバッファ３４に入力し、（５）選択されたスクリーン場所で出力トリガ５６がビデオスイッチを入れて（トリガして）ＰＩＰディスプレイバッファ３４からの縮小スクリーンイメージと全スクリーンイメージとを組み合わせてＰＩＰイメージを生成し、これによりサービスドライバ２４’のイメージはサービスドライバ２４のイメージの中に組み込まれる。
【００２７】
ユーザのコマンドあるいは選択は、ユーザがＴＶスクリーン上に表示されたメニューから所望のパラメータを選択するようなリモコンで生成あるいは入力し、そして、それによりＴＶは、制御チャネル上にコンピュータパケットを生成して（デフォルトで）、本発明の集中ＰＩＰ処理デバイス１４のプログラム可能なレジスタに転送する。
【００２８】
本発明の集中ＰＩＰ処理デバイス１４は、複数のＰＩＰディスプレイバッファの出力を同一のビデオスイッチに接続することにより、複数のサービスドライバからのＰＩＰイメージを提供できる。このようにしてディスプレイスクリーンは、その中に縮小スクリーンイメージを有する全スクリーンイメージを含む。さらに本発明の集中ＰＩＰ処理デバイス１４は、「分割スクリーン」を達成するために、全てのＰＩＰディスプレイバッファから縮小スクリーンイメージのみを表示するよう構成することができる。すなわちイメージは、ユーザの好みによりオーバーラップしたり、あるいはオーバーラップしないようにもできる。この集中ＰＩＰ処理デバイス１４の変形例は、全てのＰＩＰディスプレイバッファの出力を入力／出力トリガにリンクし、縮小スクリーンイメージのデータをディスプレイの所定のスクリーン位置に出力することも含む。さらにまた、ディジタルビデオスイッチの仕様により、ＰＩＰイメージを生成する代わりにこのＰＩＰイメージは、アナログビデオスイッチにより構成することもできる。１実施例ではＤ／Ａコンバータ２６の下流側に配置されたアナログビデオスイッチと、ＰＩＰディスプレイバッファ３４の出力とこのアナログビデオスイッチの入力との間に配置されたＤ／Ａコンバータを有する。
【００２９】
本発明は、家庭内での例を用いて説明したが、本発明の集中ＰＩＰ処理デバイス１４は、複数のビデオソースがディジタルデータ分配システムによりネットワーク化され、あるいは相互接続されるようないかなる環境下でも使用できる。
【図面の簡単な説明】
【図１】本発明による中央でのＰＩＰ処理デバイスを有するデータ分散システムを表す図。
【図２】図１の中央でのＰＩＰ処理デバイスの実施例を表す図。
【図３】図２のサンプラのブロック図。
【図４】図２の入力／出力トリガのブロック図。
【図５】サンプルデータを搬送するＰＩＰバス上のピクセルのタイミングを表す図。
【符号の説明】
１０  住宅
１２  住宅用分配システム
１４  集中ＰＩＰ処理デバイス
１６  ローカルケーブルオペレータ
１８  ローカル通信交換会社
２０  Ｒ．Ｇ．バス
２２  ネットワークインタフェースユニット
２４、２４’  サービスドライバ
２６、２６’  Ｄ／Ａコンバータ
２８、２８’  ディスプレイデバイス
３０  ＰＩＰバス
３２、３２’  サンプラ
３４、３４’  ＰＩＰディスプレイバッファ
３６、３６’  入力／出力トリガ
３８、３８’  ビデオスイッチ
３９  データライン
４０  クロック装置
４２  レジスタ
４４  トリガ
４６  サンプリングスイッチ
４８  入力トリガ部分
５０  出力トリガ部分
５２  入力トリガ
５４  選択レジスタ
５６  出力トリガ
５８  ＰＩＰ配置デバイス
６０  ＰＩＰイネーブル
【図１】
0003590257.tif 000002
【図２】
0003590257.tif 000003
【図３】
0003590257.tif 000004
【図４】
0003590257.tif 000005
【図５】
0003590257.tif 000006